(57)【要約】【課題】軽量化を実現可能な配管傾斜測定器を提供する。また、寸法公差や位置決め精度の厳密な管理・調整を行うことなく、配管の傾斜を高精度で測定可能な配管傾斜測定方法を提供する。【解決手段】被測定用の配管１００に接触する配管接触部材２と、配管接触部材２に取り付けられて配管１００の傾斜を測定する傾斜センサ３とを備え、配管接触部材２は、ベース部材２１とベース部材２１の両端から立設された一対の立設部２２Ａ，２２Ｂとを有するように凹状に成型された薄板状の部材から構成され、一対の立設部２２Ａ，２２Ｂには、配管１００に２点接触するＶ溝２３Ａ，２３Ｂがそれぞれ形成されている。【選択図】図２
2018013388.tif 000002
【特許請求の範囲】
【請求項１】
被測定用の配管に接触する配管接触部材と、前記配管接触部材に取り付けられて前記配管の傾斜を測定する傾斜センサとを備える配管傾斜測定器であって、
前記配管接触部材は、ベース部材と前記ベース部材の両端から立設された一対の立設部とを有するように凹状に成型された薄板状の部材から構成され、
前記一対の立設部には、前記配管に２点接触するＶ溝がそれぞれ形成されている、配管傾斜測定器。
【請求項２】
前記一対の立設部の一方に形成された第一のＶ溝の内接円の中心点は、前記一対の立設部の他方に形成された第二のＶ溝における前記内接円と同径の内接円の中心点との高さが異なる、請求項１に記載の配管傾斜測定器。
【請求項３】
前記一対の立設部同士の間隔を調整可能である、請求項１または請求項２に記載の配管傾斜測定器。
【請求項４】
前記配管接触部材に接続されて、前記配管の長手方向に直交する方向に沿った回転軸を備えるホルダ部と、
前記ホルダ部に接続された伸縮自在の支持棒と、をさらに有し、
前記配管接触部材が、前記回転軸周りに回転自在である、請求項１から請求項３のいずれか一項に記載の配管傾斜測定器。
【請求項５】
前記支持棒は、前記配管の円周方向に回転自在となるように、前記ホルダ部と接続されている、請求項４に記載の配管傾斜測定器。
【請求項６】
前記傾斜センサは外部の情報端末と無線通信可能である、請求項１から請求項５のいずれか一項に記載の配管傾斜測定器。
【請求項７】
配管傾斜測定器の配管接触部を被測定用の配管に接触させて前記配管傾斜測定器の傾斜センサにより前記配管の傾斜を測定する第一の測定ステップと、
前記配管接触部を前記配管の長手方向に対して前記第一の測定ステップとは逆向きに接触させて前記傾斜センサにより前記配管の傾斜を測定する第二の測定ステップと、
前記第一の測定ステップでの測定値と前記第二の測定ステップでの測定値との差を２で除した値を前記配管の傾斜角として算出するステップと、を含む、配管傾斜測定方法。
【請求項８】
配管傾斜測定器の配管接触部を対象物に接触させて前記配管傾斜測定器の傾斜センサにより前記対象物の傾斜を測定する第一の測定ステップと、
前記配管接触部を前記対象物の長手方向に対して前記第一の測定ステップとは逆向きに接触させて前記傾斜センサにより前記対象物の傾斜を測定する第二の測定ステップと、
前記第一の測定ステップでの測定値と前記第二の測定ステップでの測定値との平均値を定数と定義するステップと、
前記配管接触部を被測定用の配管に接触させて前記傾斜センサにより前記配管の傾斜を測定する第三の測定ステップと、
前記第三の測定ステップで測定された測定値から前記定数を差し引いた値を前記配管の傾斜角として算出するステップと、を含む、配管傾斜測定方法。
【請求項９】
前記傾斜センサから測定値を受信した外部の情報端末により前記傾斜角の算出を実行させて、算出された傾斜角を前記情報端末に表示させる、請求項７または請求項８に記載の配管傾斜測定方法。
【発明の詳細な説明】
【技術分野】
【０００１】
本発明は、配管傾斜測定器および配管傾斜測定方法に関する。
【背景技術】
【０００２】
従来、天井等の高所に設置された排水配管の傾斜を測定する装置として、特許文献１に記載の配管勾配測定器や、特許文献２に記載の高所配管勾配測定装置が知られている。
特許文献１には、ベース部材が位置決め部材により被測定用配管に対して位置決めされたときに、その中心軸が被測定用配管の中心軸と平行となるようにベース部材に固定された傾斜センサにより、配管の勾配を測定することが開示されている。
特許文献２には、勾配センサと当該勾配センサを指示する支持棒との間にコイルバネを設け、コイルバネの付勢力によって、配管の中心軸線と勾配センサの測定面とが平行となるように勾配センサの測定面を配管に接触させることで、配管の勾配を測定することが開示されている。
【先行技術文献】
【特許文献】
【０００３】
【特許文献１】特開２０００−４６５４７号公報
【特許文献２】特開２０１２−２４２３４８号公報
【発明の概要】
【発明が解決しようとする課題】
【０００４】
特許文献１や特許文献２に開示の配管勾配測定装置では、被測定用の配管と接触する部分の体積が大きい。このような体積の大きい部位を支持棒に装着すると重くなり、高所の配管の傾斜を測定する際の作業性が劣る。また、特許文献１や特許文献２の装置では、配管の中心軸と平行となるように傾斜センサ（勾配センサ）を固定しなければならず、部品作成時の精度出しのための機械公差の管理や組立時の位置決め精度の調整が必要であるため、高コストである。
【０００５】
本発明は、軽量化を実現可能な配管傾斜測定器を提供することを目的とする。また、本発明は、寸法公差や位置決め精度の厳密な管理・調整を行うことなく、配管の傾斜を高精度で測定可能な配管傾斜測定方法を提供することを目的とする。
【課題を解決するための手段】
【０００６】
本発明の一態様に係る配管傾斜測定器は、
被測定用の配管に接触する配管接触部材と、前記配管接触部材に取り付けられて前記配管の傾斜を測定する傾斜センサとを備える配管傾斜測定器であって、
前記配管接触部材は、ベース部材と前記ベース部材の両端から立設された一対の立設部とを有するように凹状に成型された薄板状の部材から構成され、
前記一対の立設部には、前記配管に２点接触するＶ溝がそれぞれ形成されている。
【０００７】
また、本発明の一態様に係る配管傾斜測定方法は、
配管傾斜測定器の配管接触部を被測定用の配管に接触させて前記配管傾斜測定器の傾斜センサにより前記配管の傾斜を測定する第一の測定ステップと、
前記配管接触部を前記配管の長手方向に対して前記第一の測定ステップとは逆向きに接触させて前記傾斜センサにより前記配管の傾斜を測定する第二の測定ステップと、
前記第一の測定ステップでの測定値と前記第二の測定ステップでの測定値との差を２で除した値を前記配管の傾斜角として算出するステップと、を含む。  
【０００８】
また、本発明の一態様に係る配管傾斜測定方法は、
配管傾斜測定器の配管接触部を対象物に接触させて前記配管傾斜測定器の傾斜センサにより前記対象物の傾斜を測定する第一の測定ステップと、
前記配管接触部を前記対象物の長手方向に対して前記第一の測定ステップとは逆向きに接触させて前記傾斜センサにより前記対象物の傾斜を測定する第二の測定ステップと、
前記第一の測定ステップでの測定値と前記第二の測定ステップでの測定値との平均値を定数と定義するステップと、
前記配管接触部を被測定用の配管に接触させて前記傾斜センサにより前記配管の傾斜を測定する第三の測定ステップと、
前記第三の測定ステップで測定された測定値から前記定数を差し引いた値を前記配管の傾斜角として算出するステップと、を含む。
【発明の効果】
【０００９】
上記発明によれば、軽量化を実現することができる。また、寸法公差や位置決め精度の厳密な管理・調整を行うことなく、配管の傾斜を高精度で測定することができる。
【図面の簡単な説明】
【００１０】
【図１】本実施形態に係る配管傾斜測定器の一例を示す正面図である。
【図２】上記配管傾斜測定器の側面図である。
【図３】上記配管傾斜測定器の平面図である。
【図４】配管接触部材が回転する様子を示す図である。
【図５】配管接触部材の構成を説明するための斜視図である。
【図６】配管接触部材の変形例を示す斜視図である。
【図７】支持棒の構成を説明するための図である。
【図８】配管の傾斜を測定する方法を説明する図である。
【図９】配管の傾斜を測定する方法を説明する図である。
【発明を実施するための形態】
【００１１】
（本発明の実施形態の説明）
最初に本発明の実施態様を列記して説明する。
本発明の一態様に係る配管傾斜測定器は、
（１）被測定用の配管に接触する配管接触部材と、前記配管接触部材に取り付けられて前記配管の傾斜を測定する傾斜センサとを備える配管傾斜測定器であって、
前記配管接触部材は、ベース部材と前記ベース部材の両端から立設された一対の立設部とを有するように凹状に成型された薄板状の部材から構成され、
前記一対の立設部には、前記配管に２点接触するＶ溝がそれぞれ形成されている。
上記構成によれば、Ｖ溝を有する配管接触部材が薄板状の部材から構成されているため、配管傾斜測定器の軽量化を実現することができる。そのため、例えば天井などの高所に設置された配管の傾斜を測定する際の作業性を向上させることができる。
【００１２】
（２）前記一対の立設部の一方に形成された第一のＶ溝の内接円の中心点は、前記一対の立設部の他方に形成された第二のＶ溝における前記内接円と同径の内接円の中心点との高さが異なることが好ましい。
一対のＶ溝に高低差をつけることで、傾斜して設置された配管の高低差に即して、これらのＶ溝を配管に接触させることができる。
【００１３】
（３）前記一対の立設部同士の間隔を調整可能であることが好ましい。
上記構成によれば、測定対象の配管の材質や外径の違いに応じて、測定範囲を任意に設定することができるため、より高精度な測定を行うことができる。
【００１４】
（４）前記配管接触部材に接続されて、前記配管の長手方向に直交する方向に沿った回転軸を備えるホルダ部と、
前記ホルダ部に接続された伸縮自在の支持棒と、をさらに有し、
前記配管接触部材が、前記回転軸周りに回転自在であることが好ましい。
上記構成によれば、測定時に支持棒を延ばして、配管接触部材を被測定用の配管の傾斜に追従させつつ当該配管に接触させることができるため、高所に配置された配管の傾斜測定を容易に行うことができる。
【００１５】
（５）前記支持棒は、前記配管の円周方向に回転自在となるように、前記ホルダ部と接続されていることが好ましい。
上記構成によれば、高所に設置された配管の対象測定点の真下から支持棒を延ばすことができないような場合でも、対象測定点に配管接触部材を接触させることができる。
【００１６】
（６）前記傾斜センサは外部の情報端末と無線通信可能であることが好ましい。
上記構成によれば、高所に配置された傾斜センサの測定データを、例えば作業者が携帯する情報端末で受信して表示することができる。
【００１７】
また、本発明の一態様に係る配管傾斜測定方法は、
（７）配管傾斜測定器の配管接触部を被測定用の配管に接触させて前記配管傾斜測定器の傾斜センサにより前記配管の傾斜を測定する第一の測定ステップと、
前記配管接触部を前記配管の長手方向に対して前記第一の測定ステップとは逆向きに接触させて前記傾斜センサにより前記配管の傾斜を測定する第二の測定ステップと、
前記第一の測定ステップでの測定値と前記第二の測定ステップでの測定値との差を２で除した値を前記配管の傾斜角として算出するステップと、を含む。
上記方法によれば、傾斜センサを被測定用の配管の中心軸線に平行に固定しなくても、被測定用の配管の傾斜角を高精度で測定することができる。そのため、配管傾斜測定器の寸法公差や位置決め精度の厳密な管理・調整を行う必要がなく、低コスト化を実現することができる。  
【００１８】
また、本発明の一態様に係る配管傾斜測定方法は、
（８）配管傾斜測定器の配管接触部を対象物に接触させて前記配管傾斜測定器の傾斜センサにより前記対象物の傾斜を測定する第一の測定ステップと、
前記配管接触部を前記対象物の長手方向に対して前記第一の測定ステップとは逆向きに接触させて前記傾斜センサにより前記対象物の傾斜を測定する第二の測定ステップと、
前記第一の測定ステップでの測定値と前記第二の測定ステップでの測定値との平均値を定数と定義するステップと、
前記配管接触部を被測定用の配管に接触させて前記傾斜センサにより前記配管の傾斜を測定する第三の測定ステップと、
前記第三の測定ステップで測定された測定値から前記定数を差し引いた値を前記配管の傾斜角として算出するステップと、を含む。
上記方法によれば、配管傾斜測定器の個体ごとに予め対象物の正逆測定値から定数を算出しておくことで、被測定用の配管を１回測定するだけで当該配管の傾斜角を容易に求めることができる。
【００１９】
（９）前記傾斜センサから測定値を受信した外部の情報端末により前記傾斜角の算出を実行させて、算出された傾斜角を前記情報端末に表示させることが好ましい。
上記方法によれば、例えば作業者が携帯する情報端末で配管の傾斜角を算出して表示することで、作業性を向上させることができる。  
【００２０】
（本発明の実施形態の詳細）
本発明の実施形態に係る配管傾斜測定器および配管傾斜測定方法の具体例を、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。  
【００２１】
実施形態の一例である配管傾斜測定器１について図１〜図５を参照しつつ説明する。
配管傾斜測定器１は、被測定用の配管１００（１００ａ，１００ｂ）に接触する配管接触部材２と、被測定用の配管１００の傾斜を測定する傾斜センサ３と、配管接触部材２を支持するホルダ部４とを備えている。  
【００２２】
配管接触部材２は、薄板状の部材で形成されている。例えば配管接触部材２は、長方形状のベース部材２１とベース部材２１の両端から立設された一対の立設部２２Ａ，２２Ｂとを有するように凹状に成型されている。
【００２３】
立設部２２Ａには、被測定用の配管１００に２点接触するＶ溝２３Ａが形成されている。立設部２２Ｂには、被測定用の配管１００に２点接触するＶ溝２３Ｂが形成されている。立設部２２Ａ，２２ＢのＶ溝２３Ａ，２３Ｂを配管１００に押し当てることで、Ｖ溝２３Ａ，２３Ｂがそれぞれ配管１００と２点で接触する。図２には外径が小さい一例の配管１００ａと外径が大きい一例の配管１００ｂとが示されている。配管１００ａはＶ溝２３Ａに接触点２４ａ，２４ｂで接触し、配管１００ｂはＶ溝２３Ａに接触点２５ａ，２５ｂで接触している。
【００２４】
傾斜センサ３は、配管接触部材２のベース部材２１の下側に取り付けられている。例えば傾斜センサ３は、ケース３１内に収納され、ケース３１の上板３１ａがネジ３２を介してベース部材２１の下面に固定されるとともに、ケース３１の保持板３１ｂがネジ３３を介して配管接触部材２の立設部２２Ａに固定されることで配管接触部材２に取り付けられている。  
【００２５】
傾斜センサ３は、対向する２枚の円板状の固定電極と、固定電極間に配置される１枚の円板状の可動電極とを備えている。可動電極は、傾斜センサ３が鉛直線に直交する水平面に設置された状態において両固定電極の中間位置にくるように構成されている。このため、傾斜センサ３が傾いた状態に設置されると、可動電極はその傾きに応じて２枚の固定電極間の一方の固定電極側に移動する。これにより、可動電極と各々の固定電極との間の静電容量がそれぞれ変化する。この静電容量の変化は、その変化量に応じた電気信号として出力され、配管１００の傾斜データに換算される。  
【００２６】
ホルダ部４は、底板部４１と、底板部４１の両端部から垂直に上方へ伸びる一対の腕部４２Ａ，４２Ｂとを備えている。底板部４１は傾斜センサ３の下側に配置され、一対の腕部４２Ａ，４２Ｂは傾斜センサ３を間に挟んで傾斜センサ３の両側に配置されている。また、ホルダ部４は、被測定用の配管１００の長手方向に直交する方向に沿った回転軸４３を備えている。回転軸４３は、配管接触部材２のベース部材２１の上側であって、配管接触部材２の立設部２２Ａ，２２Ｂの間を横切るように配置されている。配管接触部材２のベース部材２１の上面には軸受け部２６がネジ２７で固定されており、ホルダ部４の回転軸４３は、軸受け部２６を介して配管接触部材２に接続されている。これにより、配管接触部材２および配管接触部材２に取り付けられている傾斜センサ３は、ホルダ部４の回転軸４３の周りに回転自在となっている。配管接触部材２と傾斜センサ３とは、回転軸４３の周りに傾斜角度±δまで回転可能とされている（図４参照）。  
【００２７】
図５に示すように、配管接触部材２の立設部２２Ａに形成されているＶ溝２３Ａは、ベース部材２１からの高さが、立設部２２Ｂに形成されているＶ溝２３Ｂの高さと異なるように形成されている。このため、Ｖ溝２３Ａにおける内接円の中心点の高さは、Ｖ溝２３Ｂにおける内接円（但し、Ｖ溝２３Ａにおける内接円と同じ径の内接円）の中心点の高さと相違する。例えば太さ（径）が一定の配管１００に配管接触部材２のＶ溝２３Ａ，２３Ｂを押し当てた場合、Ｖ溝２３Ａにおける配管１００の中心軸１０１までの高さＨ１は、Ｖ溝２３Ｂにおける配管１００の中心軸１０１までの高さＨ２よりも大きくなるように形成されている。  
【００２８】
この場合、Ｖ溝２３Ａが形成されている立設部２２ＡにＶ溝の高さが高いことを表す例えば「Ｈ」の文字を表示するとともに、Ｖ溝２３Ｂが形成されている立設部２２ＢにＶ溝の高さが低いことを表す例えば「Ｌ」の文字を表示するようにしてもよい。
なお、立設部２２ＡのＶ溝２３Ａと立設部２２ＢのＶ溝２３Ｂとは、同じ高さとなるように形成されていてもよい。この場合、Ｖ溝２３ＡとＶ溝２３Ｂとを区別することが可能なように例えば一方の立設部に「Ａ溝」、他方の立設部に「Ｂ溝」と表示するようにしてもよい。  
【００２９】
ところで、上下水等を流す配管では、鉛直線に直交する平面に対してその配管の傾斜を流れる方向を正とすると、例えば内径φ１００ｍｍの塩化ビニル管の場合には正接（1.5／100ｍｍ）、同径の陶管の場合には正接（2.0／100ｍｍ）の緩やかな傾斜が一般的に適切とされている。そして、配管設置時における施工出来映えの検査として、あるいは異常個所点検等の保守確認として、定量的に配管の傾斜を把握することが配管インフラを良好に維持する必須条件になっている。特に、地震が多い日本では経年的な変化機会も多く、配管設置時に傾斜データを記録しておき、点検時にその推移を観測することがインフラ全体の保全予防に役立つと考えられる。
【００３０】
そこで、上記構成の配管傾斜測定器１によれば、被測定用の配管１００に押し当てる配管接触部材２が薄板状の部材で形成されている。このため、配管傾斜測定器１の軽量化を実現することができ、例えば天井などの高所に設置される配管１００の傾斜を測定する際、あるいは配管１００の傾斜を多点で測定する際等の作業性を向上させることができる。また、配管１００に対して薄板状のＶ溝２３Ａ，２３Ｂを接触させるため、例えば配管１００の表面の凹凸によるガタツキを低減させることができる。  
【００３１】
また、一対のＶ溝２３Ａ，２３Ｂに高低差をつけているので、傾斜して設置されている配管１００の高低差に即して、Ｖ溝２３Ａ，２３Ｂを配管１００に接触させることができる。例えば高所に設置されている配管１００に接触させる場合、先ず、高いＶ溝２３Ａ側を配管１００に接触させ、次に、低いＶ溝２３Ｂ側を配管１００に接触させることで精度よく配管接触部材２を配管１００に接触させることができる。また、Ｖ溝２３ＡとＶ溝２３Ｂとの高さに視覚的に認識される程度の高低差を付けることで、例えば高いＶ溝２３Ａから低いＶ溝２３Ｂ方向へ液体が流れる傾斜角をプラス「＋」と規定する場合などに、測定した配管１００の傾斜角の±を間違いなく判断することができる。  
【００３２】
また、配管接触部材２および傾斜センサ３は、ホルダ部４に対して回転軸４３の周りに回転可能に構成されているので、測定時にホルダ部４を任意の角度にしたまま配管接触部材２および傾斜センサ３を被測定用の配管１００の傾斜に追従させつつ当該配管１００に接触させることができる。このため、例えば高所に配置された配管１００や狭い箇所に配置された配管１００に関しても傾斜測定を容易に行うことができる。
【００３３】
配管傾斜測定器１は、図６に示すような構成の配管接触部材２Ａを備えるようにしてもよい。
配管接触部材２Ａは、一対の立設部２２Ａ，２２Ｂ同士の間隔を、例えば間隔Ｌ１や間隔Ｌ２のように狭めたり広げたり調整できるように構成されている。立設部２２Ａと立設部２２Ｂとは、別部材で形成されており、立設部２２Ａのベース部材２１Ａに形成されている２本のガイド部２８を介して接続されている。ガイド部２８内に挿入される立設部２２Ｂのベース部材２１Ｂがガイド部２８に沿って移動することで立設部２２Ａ，２２Ｂ同士の間隔が変化可能とされている。例えばガイド部２８に沿ってベース部材２１Ｂを引き出すことで立設部２２Ａ，２２Ｂ同士の間隔を間隔Ｌ１から間隔Ｌ２に調整することができる。立設部２２Ａ，２２Ｂ間が所定の間隔に調整された配管接触部材２Ａは、ベース部材２１Ａ，２１Ｂ同士がネジ２９で締結される。
【００３４】
このような構成によれば、測定する対象の配管１００の材質や外径の違いに応じて、立設部２２Ａと立設部２２Ｂとの間隔を調整して配管１００における測定範囲を任意に設定することができる。例えば配管１００の材質や外径に依存する剛性等を加味し、剛性の低い細径の塩化ビニル管等では、立設部同士の間隔を狭めて測定することができる。また、剛性の高い太径の鉄管等では、その表面性状に左右されないように立設部同士の間隔を広くして測定することが可能になる。このため、多種の配管１００について高精度な測定を行うことができる。
【００３５】
配管傾斜測定器１は、図７に示すように、支持棒５を備える構成としてもよい。
支持棒５は、直線状に伸縮自在な構成となっており、ホルダ部４の底板部４１に接続されている。支持棒５は、例えばアルミニウム材で構成されており、ホルダ部４の底板部４１に固定される接続部５ａと、伸縮可能な伸縮部５ｂとを備えている。また、支持棒５は、被測定用の配管１００の長手方向と同じ向きの回転軸５１を備えている。接続部５ａと伸縮部５ｂとは、回転軸５１を介して接続されている。このため、伸縮部５ｂは、回転軸５１の周り、すなわち被測定用の配管１００の円周方向に回転自在となっている。
【００３６】
このような構成によれば、測定時に支持棒５を伸ばして、配管接触部材２を被測定用の配管１００に接触させることができるため、高所に配置された配管１００の傾斜測定を容易に行うことができる。また、高所に設置された配管１００の対象測定点の真下から支持棒５を延ばすことができないような場合でも、ホルダ部４に対して支持棒５を配管１００の円周方向に回転させることができるため、対象測定点に配管接触部材２を容易に接触させることができる。
【００３７】
配管傾斜測定器１の傾斜センサ３は、図７に示すように、情報端末６と無線通信可能に構成されていてもよい。
傾斜センサ３は、近距離型の無線通信機能を有し、測定された配管１００の傾斜データを無線通信（例えばBluetooth（登録商標））により、例えば外部のスマートフォン６に送信可能である。スマートフォン６には、配管１００の傾斜角等を算出するためのアプリケーションが予めインストールされている。スマートフォン６は、傾斜センサ３から送信されてきた傾斜データに基づいて、配管１００の傾斜角等を算出するとともに、算出した傾斜角等を表示画面に表示可能である。なお、傾斜センサ３が表示部を備えて、配管１００に関する傾斜角等の情報がその表示部に表示されるようにしてもよい。
【００３８】
このような構成によれば、高所に配置された配管１００の傾斜を測定した場合、測定場所の高所にある傾斜センサ３から測定データを、例えば作業者が携帯するスマートフォン６に無線送信することができる。このため、作業者は、測定データをスマートフォン６で受信して例えば画面上に表示させることができる。
【００３９】
次に、図８，図９を参照しつつ、配管傾斜測定器１を用いた配管傾斜測定方法について説明する。
図８および図９は、配管傾斜の測定時において、配管接触部材２が被測定用の配管１００に対し押し当てられた状態を示している。配管接触部材２の立設部２２ＡにおけるＶ溝２３Ａと配管１００との接触する点が接触点Ａと示され、立設部２２ＢにおけるＶ溝２３Ｂと配管１００との接触する点が接触点Ｂと示されている。また、傾斜センサ３は、配管接触部材２に対して平行に固定されてなく、本例では傾斜角βだけ傾斜した状態で固定されている。本例において、被測定用の配管１００が鉛直線に直交する水平線６０に対して傾斜する角度は傾斜角θで示される。
【００４０】
（測定方法１）
先ず、図８に示すように、Ｖ溝の高さが他方のＶ溝よりも高く形成されている（図において「Ｈ」と表示されている）立設部２２Ａが配管１００の長手方向における上流側に配置される向きで配管接触部材２を配管１００に接触させる。そして、配管接触部材２に取り付けられている傾斜センサ３により配管１００の傾斜データα１を測定する。測定された傾斜データα１は、無線通信により、傾斜センサ３から例えば測定作業者のスマートフォン６へ送信される。  
【００４１】
スマートフォン６は、傾斜センサ３から送信されてきた傾斜データα１に基づいて、配管１００の傾斜角θを算出する。
この場合、配管１００内の液体が立設部２２Ａの高いＶ溝２３Ａ側から立設部２２Ｂの低いＶ溝２３Ｂ側へ流れる傾斜が配管１００のプラス傾斜「＋」と定義される。また、配管接触部材２と配管１００との傾斜角、すなわち配管接触部材２におけるＶ溝２３ＡとＶ溝２３Ｂ間の傾斜角が傾斜角γとされる。  
【００４２】
このとき傾斜角θは、以下の関係式で示される。
[数１]
＋θ＝γ−（α１＋β）・・・（式１）
【００４３】
続いて、図９に示すように、上記図８とは逆向き、すなわちＶ溝の高さが他方のＶ溝よりも低く形成されている（図において「Ｌ」と表示されている）立設部２２Ｂが配管１００の長手方向における上流側に配置される向きで配管接触部材２を配管１００に接触させる。そして、傾斜センサ３により配管１００の傾斜データα２を測定する。測定された傾斜データα２は、無線通信により、傾斜センサ３から測定作業者のスマートフォン６へ送信される。
【００４４】
スマートフォン６は、傾斜センサ３から送信されてきた傾斜データα２に基づいて、配管１００の傾斜角θを算出する。
この場合、配管１００内の液体が立設部２２Ｂの低いＶ溝２３Ｂ側から立設部２２Ａの高いＶ溝２３Ａ側へ流れる傾斜が配管１００のマイナス傾斜「−」と定義される。また、上記と同様に、配管接触部材２と配管１００との傾斜角が傾斜角γとされる。
【００４５】
このとき傾斜角θは、以下の関係式で示される。
[数２]
−θ＝γ−（α２＋β）・・・（式２）  
【００４６】
（式１）と（式２）から、θ＝（α２−α１）／２となる。
このように、測定方法１では、配管１００に押し当てる配管接触部材２の向きを変えて傾斜データα１とα２とを測定し、測定された２つの傾斜データの差を２で除することにより、配管１００の傾斜角θが算出される。  
【００４７】
スマートフォン６は、算出された配管１００の傾斜角θを記憶部に記憶するとともに、表示画面に表示させる。  
【００４８】
このような方法によれば、傾斜センサ３が被測定用の配管１００の中心軸線に対して平行に固定されていなくても、配管１００の傾斜角θを高精度で測定することができる。具体的には、例えば傾斜センサ３が配管接触部材２のベース部材２１に対して傾斜角βだけ傾斜した状態で取り付けられていても、被測定用の配管１００の傾斜角θを高精度で測定することができる。このため、配管傾斜測定器１の寸法公差や位置決め精度の厳密な管理・調整を行う必要がなく、低コスト化を実現することができる。  
【００４９】
また、傾斜センサ３で測定された傾斜データα１，α２を受信して、例えば作業者が携帯するスマートフォン６で配管１００の傾斜角θを算出し、画面上に表示することができるので、傾斜測定の作業性を向上させることができる。
【００５０】
（測定方法２）
測定方法２では、事前準備として、任意の配管あるいは円筒などの対象物により、測定に使用される配管傾斜測定器１ごとに予め定数を以下のように定義しておく。
【００５１】
先ず、対象物に対して、上記測定方法１と同様に、押し当てる配管接触部材２の向きを変えて傾斜データα１と傾斜データα２とを測定する。測定された傾斜データα１，α２は、傾斜センサ３から測定作業者のスマートフォン６へ無線送信される。  
【００５２】
スマートフォン６は、傾斜センサ３から送信されてきた傾斜データα１，α２に基づいて、配管傾斜測定器１の定数を算出する。
対象物の傾斜角θは、上記測定方法１と同様に、＋θ＝γ−（α１＋β）・・・（式１）、−θ＝γ−（α２＋β）・・・（式２）の関係式で示される。
（式１）と（式２）から、０＝２γ−α１−α２−２βとなり、γ−β＝（α１＋α２）／２が求められる。
このようにして求められた「γ−β」、すなわち傾斜データα１とα２の平均値を配管傾斜測定器１の定数として定義する。求められた定数は、スマートフォン６の記憶部に記憶される。
【００５３】
続いて、上記測定方法１と同様に、例えば図８に示すような方向で、配管接触部材２を配管１００に接触させて、傾斜センサ３により配管１００の傾斜データα１を測定する。測定された傾斜データα１は、傾斜センサ３から測定作業者のスマートフォン６へ無線送信される。
【００５４】
スマートフォン６は、傾斜センサ３から送信されてきた傾斜データα１に基づいて、上記測定方法１と同様に、配管１００の傾斜角θを算出する。
傾斜角θは、＋θ＝γ−（α１＋β）・・・（式１）の関係式で示される。
ここで、（式１）において「γ−β」は、上記傾斜測定器１の定数に相当する。したがって、傾斜角θは、定数「γ−β」から傾斜データα１を差し引いた値になる。
【００５５】
このように、測定方法２では、配管１００に一度だけ配管接触部材２を押し当てて傾斜データα１を測定し、予め定義されている定数から傾斜データα１を差し引くことにより、配管１００の傾斜角θが算出される。
なお、本例では図８に示すような方向で傾斜データα１を測定したが、これに限定されず、例えば図９に示すような方向で傾斜データα２を測定した場合も同様に一度の測定で配管１００の傾斜角θが算出される。
【００５６】
スマートフォン６は、算出された配管１００の傾斜角θを記憶部に記憶するとともに、表示画面に表示させる。  
【００５７】
このような方法によれば、上記測定方法１と同様の作用効果を得ることができる。さらに、配管傾斜測定器１の個体ごとに予め対象物の正逆測定値から定数を算出しておくことにより、被測定用の配管１００の傾斜データを１回測定するだけで配管１００の傾斜角θを容易に求めることができる。  
【００５８】
本開示が適用される配管１００としては、排水用鋳鉄管、硬質ポリ塩化ビニル管（一般管）、リサイクル硬質ポリ塩化ビニル発泡三層管、空調用ドレン管、排水・通気用耐火二層管等であって、配管直径としてはφ１０〜３００ｍｍ程度のもの等、多種多様な構造、材質のものに適用可能であり、更にはこれらの例示に限定されるものでもない。
【００５９】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【符号の説明】
【００６０】
１：配管傾斜測定器
２，２Ａ：配管接触部材
３：傾斜センサ
４：ホルダ部
５：支持棒
５ｂ：伸縮部
６：情報端末
２１：ベース部材
２２Ａ，２２Ｂ：立設部
２３Ａ，２３Ｂ：Ｖ溝
４３，５１：回転軸
１００（１００ａ，１００ｂ）：配管
１０１：中心軸 
【図１】
2018013388.tif 000003
【図２】
2018013388.tif 000004
【図３】
2018013388.tif 000005
【図４】
2018013388.tif 000006
【図５】
2018013388.tif 000007
【図６】
2018013388.tif 000008
【図７】
2018013388.tif 000009
【図８】
2018013388.tif 000010
【図９】
2018013388.tif 000011